(57)【特許請求の範囲】
【請求項１】
円錐形ディスク式巻掛け変速機（１００）であって、
それぞれ１つの軸方向可動の円錐形ディスク（１０２，１０３）と軸方向固定の円錐形ディスクとを備えた入力側の円錐形ディスク対（１）および出力側の円錐形ディスク対（２）と、
トルク伝達のために円錐形ディスク対（１，２）の間に配置された、押圧片を有するリンクプレートチェーン（１０１）と、
保持部材（１０５）に旋回可能にかつ該保持部材（１０５）の軸方向に対してほぼ直角に移動可能にガイドされたスライドレール（１０４）と、が設けられており、
該スライドレール（１０４）が、スライド面（１０９）を有する第１の舌片（１０７）と第２の舌片（１０８）とを有しており、
該第１の舌片（１０７）と該第２の舌片（１０８）とが、リンクプレートチェーン（１０１）を収容する収容領域（１０６）を形成している形式のものにおいて、
スライドレール（１０４）が、保持部材（１０５）に軸方向に移動可能に配置されており、
第１の舌片（１０７）と第２の舌片（１０８）とに対してほぼ直角に形成されたガイド面体（１１１）がガイド面（１１２，１１４）を有しており、
ガイド面（１１２，１１４）が、リンクプレートチェーン（１０１）の走行方向において湾曲させられて形成されており、互いに向かい合って位置するガイド面（１１２，１１４）の間における前記走行方向に対して横方向の間隔が、前記走行方向におけるガイド面（１１２，１１４）の長手方向延在長さのほぼ中間の領域で最小に設定されていることを特徴とする、円錐形ディスク式巻掛け変速機。
【請求項２】
円錐形ディスク式巻掛け変速機（１００）であって、
それぞれ１つの軸方向可動の円錐形ディスク（１０２，１０３）と軸方向固定の円錐形ディスクとを備えた入力側の円錐形ディスク対（１）および出力側の円錐形ディスク対（２）と、
トルク伝達のために円錐形ディスク対（１，２）の間に配置された、押圧片を有するリンクプレートチェーン（１０１）と、
保持部材（１０５）に旋回可能にかつ該保持部材（１０５）の軸方向に対してほぼ直角に移動可能にガイドされたスライドレール（１０４）と、が設けられており、
該スライドレール（１０４）が、スライド面（１０９）を有する第１の舌片（１０７）と第２の舌片（１０８）とを有しており、
該第１の舌片（１０７）と該第２の舌片（１０８）とが、リンクプレートチェーン（１０１）を収容する収容領域（１０６）を形成している形式のものにおいて、
スライドレール（１０４）が、保持部材（１０５）に軸方向に移動可能に配置されており、
第１の舌片（１０７）と第２の舌片（１０８）とに対してほぼ直角に形成されたガイド面体（１１１）がガイド面（１１２，１１４）を有しており、
ガイド面（１１２，１１４）が、リンクプレートチェーン（１０１）の走行方向において、ガイド面（１１２，１１４）の各端部で外方に湾曲させられて形成されていて、ガイド面（１１２，１１４）の長手方向延在長さの中間の領域で真っ直ぐに形成されており、互いに向かい合って位置するガイド面（１１２，１１４）の間における前記走行方向に対して横方向の間隔が、前記走行方向におけるガイド面（１１２，１１４）の長手方向延在長さのほぼ中間の領域で最小に設定されていることを特徴とする、円錐形ディスク式巻掛け変速機。
【請求項３】
スライドレール（１０４）が、リンクプレートチェーン（１０１）との接触によって移動可能に形成されている、請求項１又は２記載の円錐形ディスク式巻掛け変速機。
【請求項４】
ガイド面体（１１１）が、リンクプレートチェーン（１０１）に接触するために形成されており、リンクプレートチェーン（１０１）とガイド面体（１１１）との間に生じる接触力によって、スライドレール（１０４）が、保持部材（１０５）において軸方向に移動するようになっている、請求項１から３までのいずれか１項記載の円錐形ディスク式巻掛け変速機。
【請求項５】
ガイド面（１１２）が、前記押圧片の軸方向の端面に対して相補的に形成されている、請求項１から４までのいずれか１項記載の円錐形ディスク式巻掛け変速機。
【請求項６】
ガイド面（１１２）が、横断面図で見て、スライド面（１０９）に対して所定の角度を成して形成されている、請求項１から５までのいずれか１項記載の円錐形ディスク式巻掛け変速機。
【請求項７】
１つのガイド面（１１４）が、リンクプレートチェーン（１０１）の軸方向の端面に対して相補的に形成されており、ガイド面（１１４）が、押圧片の領域に切欠き（１１５）を備えている、請求項１から４までのいずれか１項記載の円錐形ディスク式巻掛け変速機。
【請求項８】
２つのガイド面（１１４）が、リンクプレートチェーン（１０１）の軸方向の端面に対して相補的に形成されている、請求項１から４、７のいずれか１項記載の円錐形ディスク式巻掛け変速機。
【請求項９】
スライド面（１０９）が、リンクプレートチェーン（１０１）の前記走行方向に対して横方向に、リンクプレートチェーン（１０１）の幅よりも大きい幅を有している、請求項１から８までのいずれか１項記載の円錐形ディスク式巻掛け変速機。
【請求項１０】
円錐形ディスク式巻掛け変速機（１００）の変速比の変化時のリンクプレートチェーン（１０１）の接触面と舌片（１０７，１０８）のスライド面（１０９）との重なり量がほぼ不変である、請求項１から９までのいずれか１項記載の円錐形ディスク式巻掛け変速機。
【請求項１１】
リンクプレートチェーン（１０１）が、スライドレール（１０４）を一方の各円錐形ディスク（１０２，１０３）の軸方向の移動時に力負荷するようになっており、これによって、スライドレール（１０４）が、リンクプレートチェーン（１０１）と一緒に移動させられるようになっており、該リンクプレートチェーン（１０１）の一方の接触面と、面に関して小さい方のスライド面（１０９）との重なり量が、リンクプレートチェーン（１０１）の前記接触面のほぼ１００パーセントである、請求項１から１０までのいずれか１項記載の円錐形ディスク式巻掛け変速機。
【請求項１２】
スライド面（１０９）が、進入側にかつ進出側に曲面（１１３）を備えて形成されている、請求項１から１１までのいずれか１項記載の円錐形ディスク式巻掛け変速機。
【請求項１３】
舌片（１０７，１０８）のスライド面（１０９）が、互いに異なるサイズに形成されている、請求項１から１２までのいずれか１項記載の円錐形ディスク式巻掛け変速機。
【発明の詳細な説明】
【技術分野】
【０００１】
本発明は、円錐形ディスク式巻掛け変速機であって、それぞれ１つの軸方向可動の円錐形ディスクと軸方向固定の円錐形ディスクとを備えた入力側の円錐形ディスク対および出力側の円錐形ディスク対と、トルク伝達のために円錐形ディスク対の間に配置された、押圧片を有するリンクプレートチェーンと、保持部材に旋回可能にかつ該保持部材の軸方向に対してほぼ直角に移動可能にガイドされたスライドレールとが設けられており、該スライドレールが、スライド面を有する第１の舌片と第２の舌片とを有しており、該第１の舌片と該第２の舌片とが、リンクプレートチェーンを収容する収容領域を形成している形式のものに関する。
【０００２】
前述した形式の円錐形ディスク式巻掛け変速機は、たとえば自動車に使用することができ、衝撃および中断のない牽引力伝達の点で優れている。この場合に使用されるリンクプレートチェーンは押圧片を有している。この押圧片は、リンクプレートチェーンの、外側に位置するチェーンリンクプレートによって形成された側面を越えて側方に突出していて、押圧片の端面と円錐形ディスク対との間の摩擦力によって、たとえば内燃機関から到来した出力トルクを伝達する。
【０００３】
この場合、巻掛け手段として使用されるリンクプレートチェーンは、張り側と緩み側とを有している。この張り側と緩み側とには、横振動が生じることがあり、この横振動は煩わしいと感じられることがある。なぜならば、この横振動が車両のボディに音響的に入射する傾向にあり、相応の固体伝播音伝搬後に車両の内室で音響的に感知されるからである。さらに、この横振動は、張り側または緩み側で伝達される力の増加にも繋がり、これによって、リンクプレートチェーンの寿命を減少させることがある。
【０００４】
この問題を解決するために、ドイツ連邦共和国特許出願公開第１００１７００５号明細書に基づき、すでに円錐形ディスク式巻掛け変速機が公知である。この公知の円錐形ディスク式巻掛け変速機はスライドレールを有している。このスライドレールは、スライド面を有する第１の舌片と第２の舌片とを有している。両舌片は、リンクプレートチェーンを収容する収容領域を形成している。リンクプレートチェーンが公知のスライドレールの収容領域に進入すると、リンクプレートチェーンの下面および／または上面とスライドレールのスライド面との物理的な接触によって、横振動が収容領域の内部にもはや形成されなくなり、したがって、リンクプレートチェーンの寿命に影響を与える音響的に煩わしい横振動がもはや生じなくなる。
【０００５】
スライドレールは、公知の円錐形ディスク式巻掛け変速機の保持部材にガイドされ、これによって、円錐形ディスク式巻掛け変速機の変速比の変化に反応して、保持部材にガイドされて旋回することができ、この保持部材において、この保持部材の軸方向に対してほぼ直角に移動することができる。言い換えると、これは、スライドレールが、側方で隣り合った２つの円錐形ディスクの中心点を結ぶ区間に対して相対的に直角に移動することができる、すなわち、この仮想区間の上方でスライドレールの高さを変化させることができ、このスライドレールを保持部材において、この保持部材に対して相対的に旋回させることもできる、すなわち、この仮想区間に対して相対的なそれぞれ異なる角度位置をとることができることを意味している。
【０００６】
円錐形ディスク式巻掛け変速機において変速比変化が生じると、それぞれ軸方向固定の円錐形ディスクに対して相対的な軸方向可動の円錐形ディスクの軸方向の移動が生じる。可動の円錐形ディスクのこの移動に付随して、リンクプレートチェーンの、一方の円錐形ディスク対を結合する軸に対して相対的な軸方向の移動が生じる。言い換えると、これは、変速比変化時に、循環するリンクプレートチェーンが、スライドレールの舌片のスライド面に対する、循環運動に起因した相対運動だけでなく、リンクプレートチェーンの循環方向に対して横方向に運動させられることも意味している。
【０００７】
リンクプレートチェーンの保持手段は、両円錐形ディスク対の間の中間スペースに配置されている。公知のスライドレールは、リンクプレートチェーンが、前述した両相対運動を行うことができ、また、リンクプレートチェーンがその循環運動時に、同時に生じる変速比変化によって、両舌片のスライド面において走行方向に対して横方向の運動を行うことができるように、保持部材に保持されている。変速比変化時には、それぞれ可動の円錐形ディスクが運動させられるので、この可動の円錐形ディスクは、保持部材にガイドされたスライドレールに対しても相対的に運動させられる。
【０００８】
可動の円錐形ディスクとスライドレールとの幾何学的な衝突を回避するためには、このスライドレールの舌片が、湾曲させられて形成された相応の切欠きを有している。この切欠きによって、スライドレールに対して相対的な円錐形ディスクの自由な可動性が可能となる。
【０００９】
この切欠きによって、スライド面を設けるために提供された面が、リンクプレートチェーンの走行方向で見て不変とならず、リンクプレートチェーンがその循環方向に対して横方向ひいてはスライド面に対して横方向の運動時に、切欠きに基づきスライド面をもはや備えていない切欠きの領域を通走する。
【００１０】
この領域では、リンクプレートチェーンがもはやスライドレールによってガイドされず、リンクプレートチェーンの上面および下面と、まだリンクプレートチェーンに接触している各スライド面との間に生じる法線力が、スライド面領域によって受け止められなければならない。したがって、このスライド面領域が、スライド面に対するリンクプレートチェーンの全面的な載置を招くスライド面領域よりも高い面圧にさらされる。この高められた面圧の結果、より強く負荷されるスライド面領域の摩擦が増加させられ、ひいては、摩耗が増加させられる。
【００１１】
ここから出発して、本発明の課題は、前述した形式の円錐形ディスク式巻掛け変速機を改良して、スライドレールにおける摩耗を減少させることができるようにすることである。
【００１２】
この課題を解決するために本発明に係る円錐形ディスク式巻掛け変速機では、スライドレールが、保持部材に軸方向に移動可能に配置されているようにした。
【００１３】
本発明に係る円錐形ディスク式巻掛け変速機の有利な態様によれば、スライドレールが、リンクプレートチェーンとの接触によって移動可能に形成されている。
【００１４】
本発明に係る円錐形ディスク式巻掛け変速機の有利な態様によれば、第１の舌片と第２の舌片とが、スライド面に対してほぼ直角に延びるガイド面体を有しており、該ガイド面体が、リンクプレートチェーンに接触するために形成されており、リンクプレートチェーンとガイド面体との間に生じる接触力によって、スライドレールが、保持部材において軸方向に移動するようになっている。
【００１５】
本発明に係る円錐形ディスク式巻掛け変速機の有利な態様によれば、ガイド面体に形成されたガイド面が、押圧片の軸方向の端面に対して相補的に形成されている。
【００１６】
本発明に係る円錐形ディスク式巻掛け変速機の有利な態様によれば、ガイド面が、横断面図で見て、スライド面に対して所定の角度を成して形成されている。
【００１７】
本発明に係る円錐形ディスク式巻掛け変速機の有利な態様によれば、ガイド面体に形成された１つのガイド面が、リンクプレートチェーンの軸方向の端面に対して相補的に形成されており、ガイド面が、押圧片の領域に切欠きを備えている。
【００１８】
本発明に係る円錐形ディスク式巻掛け変速機の有利な態様によれば、ガイド面体に形成された２つのガイド面が、リンクプレートチェーンの軸方向の端面に対して相補的に形成されている。
【００１９】
本発明に係る円錐形ディスク式巻掛け変速機の有利な態様によれば、ガイド面が、リンクプレートチェーンの走行方向において湾曲させられて形成されており、互いに向かい合って位置するガイド面の間における前記走行方向に対して横方向の間隔が、前記走行方向におけるガイド面の長手方向延在長さのほぼ中間の領域で最小に設定されている。
【００２０】
本発明に係る円錐形ディスク式巻掛け変速機の有利な態様によれば、ガイド面が、リンクプレートチェーンの走行方向において、ガイド面の各端部で外方に湾曲させられて形成されていて、ガイド面の長手方向延在長さの中間の領域で真っ直ぐに形成されており、互いに向かい合って位置するガイド面の間における前記走行方向に対して横方向の間隔が、前記走行方向におけるガイド面の長手方向延在長さのほぼ中間の領域で最小に設定されている。
【００２１】
本発明に係る円錐形ディスク式巻掛け変速機の有利な態様によれば、スライド面が、リンクプレートチェーンの前記走行方向に対して横方向に、リンクプレートチェーンの幅よりも大きい幅を有している。
【００２２】
本発明に係る円錐形ディスク式巻掛け変速機の有利な態様によれば、円錐形ディスク式巻掛け変速機の変速比の変化時のリンクプレートチェーンの接触面と舌片のスライド面との重なり量がほぼ不変である。
【００２３】
本発明に係る円錐形ディスク式巻掛け変速機の有利な態様によれば、リンクプレートチェーンが、スライドレールを一方の各円錐形ディスクの軸方向の移動時に力負荷するようになっており、これによって、スライドレールが、リンクプレートチェーンと一緒に移動させられるようになっており、該リンクプレートチェーンの一方の接触面と、面に関して小さい方のスライド面との重なり量が、リンクプレートチェーンの前記接触面のほぼ１００パーセントである。
【００２４】
本発明に係る円錐形ディスク式巻掛け変速機の有利な態様によれば、スライド面が、進入側にかつ進出側に曲面を備えて形成されている。
【００２５】
本発明に係る円錐形ディスク式巻掛け変速機の有利な態様によれば、舌片のスライド面が、互いに異なるサイズに形成されている。
【００２６】
本発明に係る円錐形ディスク式巻掛け変速機は、それぞれ１つの軸方向可動の円錐形ディスクと軸方向固定の円錐形ディスクとを備えた入力側の円錐形ディスク対および出力側の円錐形ディスク対と、トルク伝達のために円錐形ディスク対の間に配置された、押圧片を有するリンクプレートチェーンと、保持部材に旋回可能にかつ保持部材の軸方向に対してほぼ直角に移動可能にガイドされたスライドレールとが設けられており、このスライドレールが、スライド面を有する第１の舌片と第２の舌片とを有しており、この第１の舌片と第２の舌片とが、リンクプレートチェーンを収容する収容領域を形成している形式のものにおいて、スライドレールが、保持部材に軸方向に移動可能に配置されていることを特徴としている。
【００２７】
本発明により提案された、保持部材に対するスライドレールの軸方向の移動可能性によって、このスライドレールをリンクプレートチェーンの運動と一緒に運動させることができる、すなわち、保持部材に対して相対的な軸方向の移動運動を行うこともでき、したがって、チェーンガイドされるスライドレールが提供されることが達成される。これによって、リンクプレートチェーンがスライドレールの収容領域の内部での相対運動時にもはやスライドレールのスライド面に対して横方向でこのスライド面から下方に運動させられなくなり、したがって、スライド面がリンクプレートチェーンと一緒に保持部材に対して横方向に運動することができ、ひいては、リンクプレートチェーンの上面および下面と、第１の舌片および第２の舌片に設けられた各スライド面との間に、全面にわたる接触にまで至る接触面範囲、すなわち、リンクプレートチェーンの上面および下面と、スライドレールの舌片に形成された各スライド面との間の１００％の重なり量にまで達する接触面範囲を達成することができる。
【００２８】
すなわち、本発明に係る円錐形ディスク式巻掛け変速機の組付け時に、スライドレールが、第１の舌片および第２の舌片に設けられたスライド面でリンクプレートチェーンに対して相対的に組み付けられると、このリンクプレートチェーンの上面および下面と、各スライド面との間に接触面範囲が形成される。この接触面範囲は構造上の各要求に相応して選択することができ、本発明に係る円錐形ディスク式巻掛け変速機のリンクプレートチェーンの走行時にかつ変速比変化時に、リンクプレートチェーンの軸方向の移動によって、本発明におけるスライドレールが、軸方向に移動させられるリンクプレートチェーンと一緒に運動させられ、したがって、選択された重なり量が維持されたままとなるかまたは以下のような重なり量が得られる。この重なり量は、リンクプレートチェーンの循環運動の間に少なくとも十分に維持されたままとなり、これによって、スライドレールのスライド面と、リンクプレートチェーンの上面および下面との間の接触面範囲がほぼ不変となり、したがって、この接触面範囲がスライド面において円錐形ディスク式巻掛け変速機の変速比変化時にも同じ面圧値にさらされ、これによって、接触力がリンクプレートチェーンとスライド面との間で補償されて分配されて提供される。この場合、スライド面の面にわたって分配されて、スライド面の摩擦の増加ひいては摩耗の増加に繋がる局所的な応力ピークは発生しない。
【００２９】
本発明は、１つの改良態様によれば、スライドレールが、リンクプレートチェーンとの接触によって移動可能に形成されていることを提案している。言い換えると、これは、リンクプレートチェーンの軸方向の移動運動がスライドレールを連行し、リンクプレートチェーンのこの軸方向の移動運動に基づき、保持部材に対するスライドレールひいてはスライド面の軸方向の移動運動が生じることを意味している。
【００３０】
本発明の１つの改良態様によれば、第１の舌片と第２の舌片とが、スライド面に対してほぼ直角に延びるガイド面体を有しており、このガイド面体が、リンクプレートチェーンに接触するために形成されており、リンクプレートチェーンとガイド面体との間に生じる接触力によって、スライドレールが、保持部材において軸方向に移動するようになっていることが提案されている。
【００３１】
リンクプレートチェーンが本発明に係る円錐形ディスク式巻掛け変速機の変速比の変化に基づき軸方向の移動にさらされると、リンクプレートチェーンが各ガイド面体に接触させられ、このガイド面体との接触に基づき、スライドレールを保持部材に対して摺動させる。この摺動運動によって、リンクプレートチェーンがこの摺動運動の間、第１の舌片および第２の舌片に設けられたスライド面に引き続き接触させられる。
【００３２】
本発明の１つの改良態様によれば、ガイド面体に形成されたガイド面が、押圧片の軸方向の端面に対して相補的に形成されていることが提案されている。この構成によって、やはり、押圧片の端面と、ガイド面体に設けられたガイド面とが、少なくともほぼ全面にわたって接触させられ、したがって、リンクプレートチェーンからスライドレールへの軸方向力伝達のために使用される大きな面が本発明におけるスライドレールに提供される。
【００３３】
円錐形ディスクの、角度を成して形成された円錐面に基づき、リンクプレートチェーンに設けられた押圧片は、通常、円錐角に対して相補的に形成された角度を端面に有している。本発明の１つの改良態様によれば、ガイド面が、横断面図で見て、スライド面に対して所定の角度を成して形成されていることが提案されている。これによって、ガイド面とスライド面との間の角度が、押圧片の端面における角度に少なくともほぼ相当していて、これによって、円錐形ディスクの円錐角に少なくとも十分に相当していることが達成される。
【００３４】
本発明に係る円錐形ディスク式巻掛け変速機の別の択一的な構成によれば、ガイド面体が、形成されたガイド面を有しており、このガイド面が、リンクプレートチェーンの軸方向の端面に対して相補的に形成されている。ガイド面がリンクプレートチェーンの一番外側のリンクプレートの外面に接触することができるようにするためには、ガイド面体が、押圧片の領域に切欠きを備えている。本発明のこの態様では、押圧片の上方、下方ならびに上下両方にガイド面体におけるガイド面が設けられていてよい。
【００３５】
押圧片とガイド面との間で穏やかな進入ひいては衝突衝撃なしの力伝達を達成するために、本発明の１つの改良態様によれば、ガイド面が、リンクプレートチェーンの走行方向において湾曲させられて形成されており、互いに向かい合って位置するガイド面の間における走行方向に対して横方向の間隔が、走行方向におけるガイド面の長手方向延在長さのほぼ中間の領域で最小に設定されていることが提案されている。穏やかな進入を保証するためには、ガイド面が、リンクプレートチェーンの走行方向において、ガイド面の各端部で外方に湾曲させられて形成されていて、ガイド面の長手方向延在長さの中間の領域で真っ直ぐに形成されていてもよい。この場合、互いに向かい合って位置するガイド面の間における走行方向に対して横方向の間隔が、走行方向におけるガイド面の長手方向延在長さのほぼ中間の領域で最小に設定されている。
【００３６】
ガイド面の、リンクプレートチェーンの走行方向において湾曲させられた構成によって、スライドレールの収容領域へのリンクプレートチェーンの進入時に、押圧片の端面もしくは一番外側のチェーンリンクプレートの外面とガイド面との間に、接触力が穏やかに形成され、したがって、押圧片の端面もしくは一番外側のチェーンリンクプレートの外面とガイド面との間の衝突衝撃的な力伝達が回避されることが達成される。こうして形成されたチェーンリンクプレートとスライドレールとの間の軸方向力が、このスライドレールと保持部材との間の不可避の静摩擦モーメントを上回るために十分に大きくなるやいなや、スライドレールが、軸方向に移動させられるリンクプレートチェーンと一緒にこのリンクプレートチェーンの走行方向に対して横方向に運動させられる。互いに向かい合って位置するガイド面の間における走行方向に対して横方向の間隔が、走行方向におけるガイド面の長手方向延在長さのほぼ中間の領域で最小に設定されていることによって、ガイド面を回転方向に依存せずに組み付けることができ、したがって、同一部材製造に基づく簡単な製造が達成されることが得られる。
【００３７】
本発明の１つの改良態様によれば、スライド面が、リンクプレートチェーンの走行方向に対して横方向に、リンクプレートチェーンの幅よりも大きい幅を有していることが提案されている。１つの態様により提案されたこの構成によって、リンクプレートチェーンをその下面および上面で全面にわたってスライド面に当て付けることができる。
【００３８】
本発明により提案された、保持部材に対するスライドレールの軸方向の移動可能性によって、円錐形ディスク式巻掛け変速機の変速比の変化時のリンクプレートチェーンの接触面と舌片のスライド面との重なり量がほぼ不変であることが達成される。
【００３９】
本発明による１つの変更された態様によれば、リンクプレートチェーンが、スライドレールを一方の各円錐形ディスクの軸方向の移動時に力負荷するようになっており、これによって、スライドレールが、リンクプレートチェーンと一緒に移動させられるようになっており、該リンクプレートチェーンの一方の接触面と、面に関して小さい方のスライド面との重なり量が、リンクプレートチェーンの接触面の１００パーセントであることも提案されている。
【００４０】
本発明により提案されたスライドレールの収容領域へのリンクプレートチェーンの穏やかな進入を達成するために、１つの改良態様によれば、スライドレールに設けられたスライド面が、進入側にかつ進出側に曲面を備えて形成されていることが提案されている。
【００４１】
最後に、１つの変更された態様によれば、舌片のスライド面が、互いに異なるサイズに形成されているスライドレールが提案されていてもよい。このような構成は、たとえば各円錐形ディスク対の開いた円錐角に基づき、半径方向で最も外側に位置する舌片に対して有利である。なぜならば、これによって、この半径方向で最も外側に位置する舌片に設けられたスライド面を増大させることができるからである。
【図面の簡単な説明】
【００４２】
【図１】本発明により提案された円錐形ディスク式巻掛け変速機の断面図である。
【図２】図１に示した変速機の変速比変化時のスライドレールのそれぞれ異なる位置の概略図である。
【図３】図１に示した円錐形ディスク式巻掛け変速機のスライドレールの斜視図である。
【図４】図３に示したスライドレールを下方から見た図である。
【図５】図４に示したスライドレールを右側から見た図である。
【図６】収容部の領域における本発明におけるスライドレールの別の実施の形態の横断面図である。
【００４３】
本発明を以下に図面につき詳しく説明する。
【００４４】
図１に部分的に示した円錐形ディスク式巻掛け変速機の実施の形態は、入力軸Ａに相対回動不能に配置された入力側の円錐形ディスク対１と、出力軸Ｂに相対回動不能に配置された円錐形ディスク対２とを有している。各ディスク対は、１つの軸方向可動の、たとえば軸方向運動可能なディスク部材１ａ，２ａ、たとえば円錐形ディスクと、それぞれ１つの軸方向固定のディスク部材１ｂ，２ｂ、たとえば円錐形ディスクとを有している。両ディスク対の間には、トルク伝達のために、リンクプレートチェーンの形の巻掛け手段３が設けられている。
【００４５】
相応のディスク対１，２の各図の上側半分には、それぞれ低速（ローもしくはアンダドライブ）側への変速機の最大の変速に相当する、相応のディスク部材１ａ，１ｂ；２ａ，２ｂの間の相対的な軸方向の位置が示してある。これに対して、これらの図面の下側半分には、高速（ハイもしくはオーバドライブ）側への最大の変速に相当する、相応に対応配置されたディスク部材１ａ，１ｂ；２ａ，２ｂの間の相対位置が示してある。
【００４６】
ディスク対１は、ピストン・シリンダユニットとして形成されたアクチュエータ４を介して軸方向に締付け可能である。円錐形ディスク対２は類似して、同じくピストン・シリンダユニットとして形成されたアクチュエータ５を介してチェーン３に対して軸方向に締付け可能である。ピストン・シリンダユニット５の圧力室６内には、コイルばねによって形成された蓄力器７が設けられている。この蓄力器７は、軸方向に運動可能なディスク部材２ａを軸方向固定のディスク部材２ｂの方向に押し退ける。チェーン３が出力側でディスク対２の半径方向内側の領域に位置している場合には、蓄力器７によって加えられる締付け力が、チェーン３がディスク対２のより大きな直径領域に位置している場合よりも大きくなっている。
【００４７】
すなわち、これは、高速側への変速機の変速の増加につれて、蓄力器７によって加えられるプリロード力が増加することを意味している。コイルばね７は、一方では、軸方向に運動可能なディスク部材２ａに直接支持されていて、他方では、圧力室６を仕切る、出力軸Ｂに剛性的に結合されたポット状の構成部材８に支持されている。
【００４８】
ピストン・シリンダユニット４，５に対して並列に作用接続されて、それぞれ１つの別のピストン・シリンダユニット１０，１１が設けられている。このピストン・シリンダユニット１０，１１は変速機の変速比変化のために働く。ピストン・シリンダユニット１０，１１の圧力チャンバ１２，１３は、要求された変速比に相応して交互に圧力媒体で充填することができるかまたは排出することができる。このためには、圧力チャンバ１２，１３が、要求に相応して、圧力媒体源、たとえばポンプに接続されるかまたは流出管路に接続されるようになっている。すなわち、変速比変化時には、圧力チャンバ１２，１３の一方が圧力媒体で充填される。すなわち、一方の圧力チャンバの容積が増加させられる。これに対して、他方の圧力チャンバ１３，１２は少なくとも部分的に排出される。すなわち、他方の圧力チャンバ１３，１２の容積が減少させられる。圧力チャンバ１２，１３のこの相互の圧力負荷もしくは排出は、相応の弁によって行うことができる。
【００４９】
このような形式の弁の構成および機能に関しては、特にすでに述べた公知先行技術に記載してある。したがって、このために、たとえばドイツ連邦共和国特許出願公開第４０３６６８３号明細書では、四角形スプールとして形成された弁が設けられている。この弁は、ポンプとして形成された圧力媒体源に接続される。
【００５０】
少なくともトルクに応じた圧力を発生させるためには、流体力学的な原理をベースとしたトルクフィーラ（トルク感応器）１４が設けられている。このトルクフィーラ１４は、入力歯車または入力ピニオン１５を介して導入されたトルクを円錐形ディスク対１に伝達する。入力歯車１５は転がり軸受け１６を介して入力軸Ａに支承されていて、形状接続もしくは歯列１７を介して、トルクフィーラ１４の、軸方向でも入力ピニオン１５に支持されたカムディスク１８に相対回動不能に結合されている。トルクフィーラ１４は、軸方向固定のカムディスク１８と軸方向可動のカムディスク１９とを有している。両カムディスク１８，１９は、それぞれ走行斜面を有している。両走行斜面の間には、ボール２０の形の拡開体が設けられている。カムディスク１９は入力軸Ａに対して軸方向可動であるものの、この入力軸Ａに対して相対回動不能である。
【００５１】
このためには、カムディスク１９が、軸方向でボール２０から離れる方向に向けられた半径方向外側の領域１９ａを有している。この領域１９ａは歯列１９ｂを有している。この歯列１９ｂは、入力軸Ａに軸方向でも周方向でも固く結合された構成部材２１の対応歯列２１ａと協働する。この場合、歯列１９ｂと対応歯列２１ａとは、両構成部材１９，２１の間の軸方向の移動が可能となるように相関的に形成されている。
【００５２】
トルクフィーラ１４の構成部材は２つの圧力室２２，２３を仕切っている。圧力室２２は、入力軸Ａに剛性的に結合された環状の構成部材２４と、カムディスク１９によって形成されたかもしくは支持された領域もしくは構成部材２５，２６とによって仕切られている。環状の構成部材２４は位置固定エレメントによって軸Ａ、たとえば入力軸に軸方向で位置固定されている。エレメント２４は軸に、たとえば歯列を介して相対回動不能に結合されていてよい。環状の圧力室２３は実際に環状の圧力室２２の半径方向外側に配置されているものの、軸方向でこの圧力室２２に対してずらされて配置されている。
【００５３】
第２の圧力室２３も同じく、環状の構成部材２４と、この構成部材２４に固く結合されたスリーブ状の構成部材２１と、さらに、カムディスク１９に固く結合された環状の構成部材２５とによって仕切られる。この構成部材２５は軸方向可動であり、ピストンに類似して作用する。
【００５４】
トルクフィーラ１４と円錐形ディスク対１とを支持する入力軸Ａは、トルクフィーラ側では、針状ころ軸受け２７を介してハウジング３０内に支承されていて、円錐形ディスク対１の、トルクフィーラ１４と反対の側では、軸方向の力を受け止める玉軸受け２８と、半径方向の力に対して設けられたころ軸受け２９とを介してハウジング３０内に支承されている。出力ディスク対２を取り付ける出力軸Ｂは、アクチュエータ５，１１に隣り合った端部では、半径方向力だけでなく、両軸方向に生じる軸方向力も受け止める複列円錐ころ軸受け３１を介してハウジング３０内に支承されていて、ディスク対２の、アクチュエータ５，１１と反対の側では、ころ軸受け３２を介してハウジング３０内に支承されている。出力軸Ｂは、アクチュエータ５，１１と反対の側の端部に傘歯車３３を支持している。この傘歯車３３は、たとえばディファレンシャルに作用結合されている。
【００５５】
トルクフィーラ１４を介して少なくともトルクに応じて調整された、円錐形ディスク式巻掛け変速機の締付けのために必要となる圧力を発生させるためには、ポンプ３４が設けられている。このポンプ３４は、入力軸Ａに加工された、半径方向の少なくとも１つの通路３６に開口した中心の通路３５を介してトルクフィーラ１４の圧力室２２に接続されている。さらに、ポンプ３４は接続管路３７を介して、第２のディスク対２に設けられたピストン・シリンダユニット５の圧力チャンバ６に接続されている。接続管路３７は、出力軸Ｂに設けられた中心の通路３８内に開口している。さらに、この通路３８は、半径方向に延びる少なくとも１つの通路３９を介して圧力チャンバ６に接続されている。
【００５６】
トルクフィーラ１４の圧力室２２は、図１に示した断面図に対して周方向にずらされた通路４０（破線参照）を介してピストン・シリンダユニット４の圧力チャンバ９に接続されている。通路４０は、軸Ａに結合された環状の構成部材２４に加工されている。すなわち、通路４０を介して、常に第１の圧力室２２と圧力チャンバ９との間に接続部が存在している。さらに、入力軸Ａには、少なくとも１つの流出通路４１が設けられている。この流出通路４１は圧力室２２に接続されているかもしくは接続可能である。また、流出通路４１の流出横断面は、少なくとも伝達されるトルクに応じて可変となる。
【００５７】
流出通路４１は軸Ａの中心の孔４２に開口している。さらに、この孔４２は、トルクフィーラ１４から流出した、たとえば構成部材を潤滑するための油を相応の箇所に案内することができる管路に接続されていてよい。軸方向に移動可能に入力軸Ａに支承された軸方向に運動可能な斜面付きディスクもしくはカムディスク１９は、内側の領域２６ａによって、流出通路４１と協働する閉鎖領域を形成している。この閉鎖領域は、少なくとも発生させられたトルクに応じて流出通路４１を多かれ少なかれ閉鎖することができる。すなわち、閉鎖領域２６ａは流出通路４１に相俟って弁もしくは絞り箇所を形成している。
【００５８】
少なくとも両ディスク１８，１９の間に発生させられたトルクに応じて、制御ピストンとして有効なディスク１９を介して流出開口もしくは流出通路４１が相応に開閉される。これによって、少なくとも発生させられたトルクに相応する、ポンプ３４によって加えられた圧力が、少なくとも圧力室２２内に発生させられる。この圧力室２２は圧力チャンバ９に接続されていて、通路もしくは管路３５，３６，３７，３８，３９を介して圧力チャンバ６にも接続されているので、これらのチャンバ６，９内にも、相応の圧力が発生させられる。
【００５９】
ピストン・シリンダユニット４，５とピストン・シリンダユニット１０，１１との並列接続に基づき、トルクフィーラ１４により供給された圧力によって軸方向可動のディスク１ａ，２ａに発生させられた力が、チャンバ１２，１３内に存在する、変速機の変速比を調整するための圧力に基づきディスク１ａ，２ａに作用する力に加算される。
【００６０】
圧力チャンバ１２への圧力媒体の供給は、軸Ａに設けられた通路４３を介して行われる。この通路４３は半径方向の孔４４を介して、軸Ａに加工された環状溝４５に接続されている。この環状溝４５から、環状の構成部材２４に加工された少なくとも１つの通路４６が延びている。この通路４６は、スリーブ状の構成部材２１に加工された、圧力チャンバ１２に開口した半径方向の通路４７との接続部を形成している。
【００６１】
類似して、圧力チャンバ１３にも油が、通路３８を取り囲んで設けられた通路４８を介して供給される。この通路４８は、半径方向に延びる接続通路４９を介して圧力チャンバ１３に連通している。通路４３，４８には、共通の圧力源から少なくとも１つの弁５０の介在下で接続管路５１，５２を介して圧力が供給される。弁５０もしくは弁システム５０に接続された圧力源５３は、別個のポンプによって形成されていてもよいし、既存のポンプ３４によって形成されていてもよい。この場合、複数の弁を有していてよい相応の体積分配システムもしくは圧力分配システム５４が必要となる。この択一的解決手段は破線で図示してある。
【００６２】
圧力負荷時に作用に関して圧力室２２に並列に接続された圧力室２３は、円錐形ディスク対１の図面の上側半分に示した個々の構成部材の相対的な位置において、圧力媒体供給部から分離されている。なぜならば、圧力室に接続された通路もしくは孔５５，５６，５７，５８，５９，６０が圧力媒体源、たとえば特にポンプ３４に接続されていないからである。軸方向可動のディスク１ａの位置に基づき、半径方向の孔６０が完全に開放されており、これによって、室２３が完全に放圧されている。伝達したいトルクに基づきトルクフィーラからカムもしくはカムディスク１９に加えられた軸方向力は、圧力室２２内に形成された圧油クッションを介してのみ受け止められる。この場合、圧力室２２内に発生させられた圧力が高ければ高いほど、伝達したいトルクは大きくなる。この圧力は、すでに述べたように、絞り弁として有効な領域２６ａと、流出孔４１とを介して制御される。
【００６３】
高速側への変速比変化時には、円錐形ディスク１ａが右向きで円錐形ディスク１ｂの方向に移動させられる。これによって、円錐形ディスク対２では、円錐形ディスク２ａが、軸方向固定の円錐形ディスク２ｂから軸方向で遠ざけられる。すでに述べたように、円錐形ディスク対１，２の図面の上側半分には、低速側への変速に対する極端位置に相当する、ディスク１ａ，１ｂとディスク２ａ，２ｂとの間の相対位置が示してある。これに対して、これらの図面の下側半分には、高速側への変速に対する互いに相対的なディスク１ａ，１ｂおよびディスク２ａ，２ｂの他方の極端位置に相当する、相応のディスク１ａ，１ｂとディスク部材２ａ，２ｂとの間の相対位置が示してある。
【００６４】
円錐形ディスク対１，２の図面の上側半分に示した変速比から、下側半分に示した相応の変速比に移行するためには、弁５０の相応の制御によって、圧力チャンバ１２が相応に充填され、圧力チャンバ１３が相応に排出されるかもしくは容積減少させられる。
【００６５】
軸方向可動の円錐形ディスク１ａ，２ａは、これに対応配置された軸Ａ；Ｂにそれぞれ歯列による結合部６１，６２を介して相対回動不能に連結されている。ディスク１ａ，２ａに設けられた内側歯列と、軸Ａ，Ｂに設けられた外側歯列とによって形成された相対回動不能な結合部６１，６２によって、相応の軸Ａ，Ｂに対するディスク１ａ，２ａの軸方向の移動が可能となる。
【００６６】
入力するディスク対１の図面の上側半分に一点鎖線で示した軸方向可動のディスク１ａとチェーン３との位置は、高速側への変速機の最も高い変速に相当している。ディスクセット１のチェーン３の一点鎖線で図示した位置には、ディスクセット２のチェーン３の実線の図面が対応している。
【００６７】
出力するディスクセット２の図面の下側半分に一点鎖線で示した軸方向可動の円錐形ディスク２ａとチェーン３との位置は、低速側への変速機の最も大きな変速に相当している。チェーン３のこの位置には、第１のディスクセット１の図面の上側半分に示したチェーン３の実線の位置が対応している。
【００６８】
図示の実施の形態では、ディスク１ａ，２ａが半径方向内側にセンタリング領域６３，６４；６５，６６を有している。このセンタリング領域６３，６４；６５，６６を介して、ディスク１ａ，２ａが相応の軸Ａ；Ｂに直接的に取り付けられているかもしくはセンタリングされている。軸方向可動のディスク１ａの、実際に遊びなしに軸Ａの周面に取り付けられたガイド領域６３，６４は、通路５９，６０に相俟って、弁を形成している。この場合、ディスク１ａは通路５９，６０に対して実際に弁スプールとして働く。ディスクセット１の図面の上側半分に示した位置から右方へのディスク１ａの移動時には、規定されたストロークにより、通路６０がディスク１ａの軸方向ストロークの増加につれてガイド領域６４によって徐々に閉鎖される。
【００６９】
すなわち、これは、ガイド領域６４が半径方向で通路６０の上方に位置することになることを意味している。この位置では、通路５９も半径方向外側で円錐形ディスク１ａ、しかも、ガイド領域６３によって閉鎖されている。ディスク１ｂの方向へのディスク１ａの軸方向の移動の継続時には、通路６０は閉鎖されたままである。これに対して、ディスク１ａもしくはディスク１ａの制御領域もしくはガイド領域６３が通路５９を徐々に開放する。これによって、通路５９を介して、シリンダ・ピストンユニット４の圧力チャンバ９と通路５８との間に接続部が形成される。これによって、同じく通路５７，５６，５５を介して圧力室２３への接続部が形成される。
【００７０】
通路６０は実際に閉鎖されていて、圧力チャンバ９と両圧力室２２，２３との間には接続部が存在しているので、両圧力室２２，２３と、圧力チャンバ９と、ひいては、通路３５および管路３７，３８を介して両圧力室２２，２３および圧力チャンバ９に作用接続されたチャンバ６とに、伝達経路に場合により存在する僅かな損失は別として、実際に同じ圧力が形成される。両圧力室２２，２３の間の、変速に関連した接続によって、トルクフィーラ１４内に存在する圧力媒体クッションの軸方向に有効な面が増加させられている。なぜならば、両圧力室２２，２３の軸方向に有効な面が作用的に合算されるからである。軸方向に有効な支持面のこの増加によって、同じトルクに対して、トルクフィーラによって形成される圧力が実際に面増加に比例して減少させられている。これは、やはり圧力チャンバ９，６内にも、相応に減少させられた圧力が加えられることを意味している。すなわち、トルクフィーラ１４によって、トルクに応じた圧力調整に重畳された、変速に関連した圧力調整を実施することができる。
【００７１】
図示のトルクフィーラ１４によって、実際に圧力もしくは圧力レベルの二段階の調整が可能となる。
【００７２】
図示の実施の形態において、両通路５９，６０は、相対的にかつディスク１ａの、通路５９，６０と協働する領域６３，６４に関連して、一方の圧力室２２から両方の圧力室２２，２３への切換、逆に、両方の圧力室２２，２３から一方の圧力室２２への切換が、円錐形ディスク式巻掛け変速機の約１：１の変速比で行われるように配置されているかもしくは形成されている。しかし、すでに述べたように、このような切換は設計上の構成に基づき急激には行われず、これによって、移行範囲が存在している。この移行範囲では、確かに、流出通路６０がすでに閉鎖されているが、接続通路５９はまだ圧力チャンバ９との接続を有していない。移行範囲で変速機もしくはトルクフィーラ１４の機能を保証するためには、カムディスク１９の軸方向の移動可能性が確保されていなければならず、圧力室２３の容積変化を可能にする補償手段が設けられており、これによって、トルクフィーラ１４がポンピングすることができる。これは、トルクフィーラ１４のシリンダ構成部材とピストン構成部材とが互いに軸方向に運動することができることを意味している。
【００７３】
図示の実施の形態では、補償手段が舌片シール部材もしくはリップシール部材６７によって形成されている。このシール部材６７は環状の構成部材２４の半径方向の溝内に収容されていて、構成部材２５の内側の円筒面と協働し、これによって、両圧力室２２，２３が相関的にシールされている。この場合、シールリング６７は、一方の軸方向でしか遮断しないかもしくは両チャンバ２２，２３の間の圧力補償を阻止するのに対して、他方の軸方向では、少なくとも圧力室２３と圧力室２２との間に正の差圧が存在する場合に圧力補償もしくはシールリング６７の通流が可能となるように形成されていて、配置されている。すなわち、シールリング６７は逆止弁に類似して作用する。この場合、圧力室２２から圧力室２３への流れは阻止されるが、シールリング６７によって形成されたシール箇所の通流は、圧力室２２に対する圧力室２３内のある程度の過圧で可能となる。
【００７４】
すなわち、右方へのカムディスク１９の運動時には、圧液が、閉鎖された圧力室２３から圧力室２２に流入する。これに続く左方へのカムディスク１９の運動時には、確かに、圧力室２３内に負圧が形成され、場合により、油の内部に気泡すら形成されることがある。しかし、このことは、トルクフィーラもしくは円錐形ディスク式巻掛け変速機の機能に対して有害とならない。
【００７５】
逆止弁に類似して作用するシール部材６７の代わりに、両圧力室２２，２３の間で有効な逆止弁が設けられてもよい。この逆止弁は環状の構成部材２４に据え付けられていてもよい。両軸方向に有効なシール部材６７が使用されてもよい。さらに、このような形式の逆止弁は、両通路３５，５８の間で有効となるように配置されてもよい。この場合、逆止弁は、圧力室２３から圧力室２２の方向への体積流は可能となるが、逆方向では逆止弁が遮断するように配置されていなければならない。
【００７６】
前述した機能説明から明らかであるように、実際、変速機が低速（アンダドライブ）側に変速する変速比範囲の部分範囲全体では、ディスク１８，１９に設けられたボール斜面によって形成される軸方向力は、圧力室２２により形成された軸方向に有効な面によってしか支持されない。これに対して、実際、変速機が高速（オーバドライブ）側に変速する変速比範囲の部分範囲全体では、ボール斜面によってディスク１９に形成される軸方向力は、圧力室２２，２３の軸方向に有効な両面によって受け止められる。したがって、同じ入力トルクに対して、低速側への変速機の変速時には、トルクフィーラによって形成される圧力が、高速側への変速機の変速時にトルクフィーラ１４によって形成される圧力よりも高くなっている。すでに述べたように、図示の変速機は、両圧力室２２，２３の間の接続または分離を招く切換点が約１：１の変速機変速比の範囲内に位置するように設計されている。しかし、通路５９，６０と、円錐形ディスク１ａの、通路５９，６０と協働する領域６３，６４との相応の配置および構成によって、切換点もしくは切換範囲を円錐形ディスク式変速機の全変速比範囲内で相応に変位させることができる。
【００７７】
両圧力室２２，２３の間の接続もしくは分離は、このために設けられた特殊な弁を介して行われてもよい。この弁は、両圧力室２２，２３を接続する通路の領域に配置することができる。さらに、この弁はディスク１ａ；２ａを介して直接操作可能である必要はなく、たとえば外的なエネルギ源によって操作可能であってもよい。このためには、たとえば電磁的、ハイドロリック的またはニューマチック的に操作可能な弁を使用することができる。この弁は変速機の変速比状況もしくは変速比変化に関連して切換可能であってよい。
【００７８】
たとえば、両圧力室２２，２３の間の接続または分離を招く、いわゆる「３ポート２位置弁」を使用することができる。しかし、圧力弁が使用されてもよい。相応の弁が、両通路３５，５８を接続する管路の領域に設けられてもよい。この場合、両通路５９，６０は閉鎖されているかもしくは存在していない。相応の弁は、圧力室２２，２３の分離時に圧力室２３が弁を介して放圧されているように切り換えられているかもしくは接続されている。このためには、この弁が、油をサンプ内に戻す管路に接続されていてよい。
【００７９】
外部から制御可能な弁の使用時には、この弁が、さらに、別のパラメータに関連して操作可能であってもよい。したがって、この弁は、たとえば駆動中に生じるトルク衝撃に関連して操作可能であってもよい。これによって、たとえば少なくとも円錐形ディスク式変速機の規定の運転状態もしくは変速比範囲でのチェーンのスリップを回避することができるかもしくは少なくとも減少させることができる。
【００８０】
図１に示した構造では、トルクフィーラ１４が入力側にかつ軸方向可動の円錐形ディスク１ａに隣り合って配置されている。しかし、トルクフィーラ１４はトルクフローにおいて任意の箇所に設けることができ、相応に適合させることができる。したがって、トルクフィーラ１４は、自体公知のように、出力側、たとえば出力軸Ｂに設けられてもよい。この場合、このような形式のトルクフィーラは、トルクフィーラ１４に類似して、軸方向可動の円錐形ディスク２ａに隣り合っていてよい。また、同じく自体公知のように、複数のトルクフィーラが使用されてもよい。したがって、たとえば入力側にも出力側にも相応のトルクフィーラを配置することができる。
【００８１】
また、少なくとも２つの圧力室２２，２３を備えたトルクフィーラ１４は、トルクおよび／または変速に関連した圧力調整のための自体公知の別の手段に組み合わされてもよい。したがって、たとえば転動体２０が、ドイツ連邦共和国特許出願公開第４２３４２９４号明細書に記載された構成に類似して、変速比変化に関連して、転動体２０と協働する転がり斜面もしくは転がり路に沿って半径方向に移動可能であってもよい。
【００８２】
図１に示した前述した実施の形態では、圧力チャンバ６がトルクフィーラ１４に接続されている。しかし、外側の圧力チャンバ１３が、トルクフィーラ１４によって供給された圧力で負荷されてもよい。この場合、内側の圧力チャンバ６は変速比変化のために働く。このためには、第２のディスクセット２への両管路５２，３７の接続部を入れ換えるかもしくは相互に交換することしか必要とならない。
【００８３】
図１に示したトルクフィーラ１４の実施の形態では、形成する部材がほぼ金属薄板から製作されている。したがって、特にカムディスク１８，１９を金属薄板成形部材として、たとえば型押し加工によって製作することができる。
【００８４】
図２には、破線によってリンクプレートチェーン１０１の種々異なる経過が示してある。これらの経過は、図１に示した円錐形ディスク式巻掛け変速機１００の変速比の変化時に生じる。この変速比変化は、それぞれ軸方向可動の円錐形ディスク１０２；１０３の軸方向の調節によって調整される。この変速比変化は、矢印Ａの方向への保持部材１０５に対するスライドレール１０４の移動および矢印Ｂの方向への保持部材１０５に対するスライドレール１０４の旋回運動に繋がる。
【００８５】
この場合、スライドレール１０４は収容領域１０６を有している。この収容領域１０６は、互いに間隔を置いて配置された２つの舌片、つまり、第１の舌片１０７と第２の舌片１０８との間に形成されている。
【００８６】
両舌片１０７，１０８には、スライド面１０９が形成されている。このスライド面１０９においてリンクプレートチェーン１０１がその上面および下面で滑動することができ、これによって、リンクプレートチェーン１０１の横振動、すなわち、走行方向に対して横方向の振動を回避することができる。
【００８７】
図３には、スライドレール１０４の実施の形態の斜視図が示してある。
【００８８】
難なく明らかであるように、スライドレール１０４はＵ字形の収容領域１１０を有している。この収容領域１１０によって、スライドレール１０４を、両円錐形ディスク１０２，１０３の間に配置された管片の形の図２に示した保持部材１０５に配置することができる。この場合、図２に関連して説明した、保持部材１０５に対して相対的なスライドレール１０４の可動性が提供されている。さらに、このスライドレール１０４は、保持部材１０５にガイドされて図２の平面から相対運動を実施することができるようにも、保持部材１０５に対して相対的に移動することができる。すなわち、スライドレール１０４は保持部材１０５に軸方向に移動可能にも配置されている。
【００８９】
つまり、変速比変化が円錐形ディスク式巻掛け変速機１００によって実施されると、このことは、それぞれ固定の円錐形ディスクに対して相対的なそれぞれ可動の円錐形ディスク１０２；１０３の軸方向の移動運動に繋がる。
【００９０】
この軸方向の移動運動は、図２の図平面からのもしくは図２の図平面への、すなわち、図２の図平面に対して直角なリンクプレートチェーン１０１の相応の移動運動に繋がる。
【００９１】
スライドレール１０４はその収容部１１０で保持部材１０５に軸方向に移動可能に配置されている。すなわち、保持部材１０５には、スライドレール１０４の収容部１１０を軸方向で保持部材１０５に位置固定する固定手段が配置されておらず、図２に示した循環方向に対して横方向へのリンクプレートチェーン１０１の前述した移動運動が、図３に示した二重矢印Ｄによるスライドレール１０４の収容領域１０６でのリンクプレートチェーン１０１の運動に繋がる。
【００９２】
リンクプレートチェーン１０１はその循環運動時にその下面で第１の舌片１０７のスライド面１０９において滑動し、その上面で第２の舌片１０８のスライド面１０９において滑動する。
【００９３】
図２に示したスライドレール１０４の配置形態では、このスライドレール１０４がリンクプレートチェーン１０１の張り側を収容領域１０６に収容しており、これによって、リンクプレートチェーン１０１の横振動が、リンクプレートチェーン１０１と、下側の舌片１０７ならびに上側の舌片１０８のスライド面１０９との間の接触により回避される。
【００９４】
円錐形ディスク式巻掛け変速機１００の変速比変化に基づき、図３に示した二重矢印Ｄの方向へのリンクプレートチェーン１０１の移動運動が生じると、リンクプレートチェーン１０１の押圧片（図示せず）が、第１の舌片もしくは下側の舌片１０７および第２の舌片もしくは上側の舌片１０８にそれぞれ形成された各ガイド面体１１１に接触させられる。言い換えると、これは、第１の舌片と第２の舌片とに対してほぼ直角に形成されたガイド面体１１１がガイド面１１２を有していることを意味している。このガイド面１１２には、リンクプレートチェーン１０１の押圧片が当て付けられ、これによって、この押圧片とガイド面１１２との間に軸方向力が形成されるようになっている。この軸方向力によって、スライドレール１０４がその収容部１１０で保持部材１０５の軸線の方向に移動させられ、ひいては、図３に示した二重矢印Ｄの方向へのこの軸方向運動時に、リンクプレートチェーン１０１の下面もしくはリンクプレートチェーン１０１の上面と、下側の舌片１０７および上側の舌片１０８の各スライド面１０９との間の接触面範囲が維持されたままとなる。
【００９５】
図４につき明らかであるように、ガイド面体１１１に設けられたガイド面１１２は湾曲させられて形成されている。言い換えると、これは、収容領域１０６へのリンクプレートチェーン１０１の進入時に、リンクプレートチェーン１０１の押圧片の端面とガイド面１１２との間に接触が生じることを意味している。この接触によって、ほぼ衝突衝撃は生じず、スライドレール１０４がその収容部１１０で保持部材１０５において軸方向に向けられて運動させられるまで、すなわち、保持部材１０５の軸線の方向へのスライドレール１０４の運動が、保持部材１０５の軸線の方向へのリンクプレートチェーン１０１の相応の運動に合致するまで、押圧片とガイド面との間で法線力がゆっくりと形成される。
【００９６】
図４に詳しく示したように、第１の舌片１０７はその面状の延在長さに関して第２の舌片１０８よりも小さく形成されている。このことは、円錐形ディスク１０２，１０３の円錐角に基づき生じる。なぜならば、第１の舌片１０７が、外側に位置する第２の舌片１０８よりも各円錐形ディスクの各中心点の近くに配置されて延びているからである。
【００９７】
図５に詳しく示したように、各ガイド面１１２はスライド面１０９に対して角度を成して形成されている。この場合、この角度αは、リンクプレートチェーン１０１の押圧片（図示せず）の端面に形成された角度にほぼ相当しており、これによって、スライドレール１０４の収容領域１０６へのリンクプレートチェーン１０１の押圧片の進入時に、スライドレール１０４がその収容部１１０で保持部材１０５において軸方向の移動運動を実施し、ひいては、図３に示した二重矢印Ｄの方向、すなわち、リンクプレートチェーン１０１の循環方向に対して横方向へのリンクプレートチェーン１０１の運動に追従するまで、押圧片と各ガイド面１１２との間で法線力が徐々にかつ緩やかに形成される。
【００９８】
図６には、スライドレール１０４の収容部１１０の領域における横断面図が示してある。図３〜図５に示した実施の形態のように、スライドレール１０４は同じく第１の舌片１０７と第２の舌片１０８とを有している。しかし、ここでは、両側のガイド面体１１１に全部で４つのガイド面１１４が形成されている。これらのガイド面１１４は、リンクプレートチェーン（図示せず）の側方外側に向けられた面に接触する。側方の各ガイド面体１１１において、上側のガイド面と下側のガイド面との間には、切欠き１１５が加工されている。この切欠き１１５は、リンクプレートチェーンの押圧片がガイド面体１１１に接触することなく押圧片を収容するように、大きく形成されている。舌片１０７，１０８のスライド面とガイド面１１４との間の移行領域には、応力緩和のための逃げ溝もしくはアンダカットが設けられていてよい。
【００９９】
図３〜図６に示した本発明におけるスライドレール１０４の実施の形態では、このスライドレール１０４が２つの半部から成っている。この場合、スライドレールは、中間の分離継ぎ目に認めることができるように、リンクプレートチェーンの長手方向に分割されている。別の構成部材によって補填されてよい両部分は、たとえば射出成形されたプラスチックから成っていて、クリップ結合によって組み合わせることができる。当然ながら、別の材料および結合方法も使用可能である。
【０１００】
さらに、図３につき明らかであるように、下側の舌片１０７および上側の舌片１０８に設けられたスライド面１０９は、それぞれ進入側にかつ進出側に曲面１１３を備えている。この曲面１１３によって、収容領域１０６へのリンクプレートチェーン１０１の進入時に、スライドレール１０４の両スライド面１０９の間の収容領域１０６へのリンクプレートチェーン１０１の下面および上面の穏やかな走入が提供されている。
【０１０１】
スライドレール１０４は、円錐形ディスク式巻掛け変速機１００の変速比の変化時のリンクプレートチェーン１０１の軸方向の移動運動に追従するので、本発明に係る円錐形ディスク式巻掛け変速機１００の完全な変速比変化の間、リンクプレートチェーン１０１の下面および上面と、スライドレール１０４に設けられたスライド面１０９との間の接触面は不変である。これによって、変速比変化の間のリンクプレートチェーン１０１の上面および下面とスライドレール１０４のスライド面１０９との間の面圧がほぼ変化しないようになっている。すなわち、スライド面が均一に負荷されており、これによって、冒頭に説明したスライド面における摩耗問題が排除されている。
【０１０２】
なお、個々に詳しく前述していない本発明の特徴に関しては、請求項および図面に詳細に記載してある。
【符号の説明】
【０１０３】
１  円錐形ディスク対
１ａ  軸方向可動のディスク部材
１ｂ  軸方向固定のディスク部材
２  円錐形ディスク対
２ａ  軸方向可動のディスク部材
２ｂ  軸方向固定のディスク部材
３  巻掛け手段またはリンクプレートチェーン
４  アクチュエータ
５  ピストン・シリンダユニット
６  圧力室
７  蓄力器
８  構成部材
９  圧力チャンバ
１０  ピストン・シリンダユニット
１１  ピストン・シリンダユニット
１２  圧力チャンバ
１３  圧力チャンバ
１４  トルクフィーラ
１５  入力ピニオン
１６  転がり軸受け
１７  段部
１８  カムディスク
１９  カムディスク
１９ａ  外側の領域
１９ｂ  歯列
２０  ボール
２１  構成部材
２１ａ  対応歯列
２２  圧力室
２３  圧力室
２４  構成部材
２５  構成部材
２６  構成部材
２６ａ  領域
２７  針状ころ軸受け
２８  玉軸受け
２９  円筒ころ軸受け
３０  ハウジング
３１  複列円錐ころ軸受け
３２  円筒ころ軸受け
３３  傘歯車
３４  ポンプ
３５  通路
３６  通路
３７  接続管路
３８  通路
３９  通路
４０  通路
４１  流出通路
４２  孔
４３  通路
４４  孔
４５  環状溝
４６  通路
４７  通路
４８  通路
４９  接続通路
５０  弁
５１  接続通路
５２  接続通路
５３  圧力源
５４  圧力分配システム
５５  孔
５６  孔
５７  孔
５８  孔
５９  孔
６０  孔
６１  結合部
６２  結合部
６３  センタリング領域
６４  センタリング領域
６５  センタリング領域
６６  センタリング領域
６７  リップシール部材
１００  円錐形ディスク式巻掛け変速機
１０１  リンクプレートチェーン
１０２  円錐形ディスク
１０３  円錐形ディスク
１０４  スライドレール
１０５  保持部材
１０６  収容領域
１０７  第１の舌片
１０８  第２の舌片
１０９  スライド面
１１０  収容部
１１１  ガイド面体
１１２  ガイド面
１１３  曲面
１１４  ガイド面
１１５  切欠き
Ａ  入力軸
Ｂ  出力軸
【図１】
0005474049.tif 000002
【図２】
0005474049.tif 000003
【図３】
0005474049.tif 000004
【図４】
0005474049.tif 000005
【図５】
0005474049.tif 000006
【図６】
0005474049.tif 000007